(57)【要約】【課題】  大型で重量のあるＵ字型側溝ブロックは水路を形成するため敷設・設置においては極めて微妙な配置が要求され、クレーンによる吊り下げ、バール、テコを使っての作業で人員と時間を要し、危険が伴っている。【解決手段】  ブロックの合端面にクレーンのロープ吊り下げ用の切欠部を設けることによって、ブロックをバランスをとって水平に吊り下げることができるため、据え付けが容易で正確となり施工作業を円滑にすることが可能となった。【選択図】  図１
0003126924.tif 000002
【実用新案登録請求の範囲】
【考案の詳細な説明】
Ｕ字溝に吊る溝図▲１０▼の欠を作った。図▲２▼と▲３▼のＵ字溝を付合せ目に▲９▼の穴が出来るので▲４▼ワイヤーがスムーズに抜く事が出来る様に作った。
考案の名称
Ｕ字溝にワイヤー掛け▲１０▼を作った。Ｕ字溝▲２▼と▲３▼を並べていくと、ワイヤーが間に挟まり、はずれなくなるのを防ぐため、▲１０▼と▲１０▼が合さり▲９▼の穴が出来る様に作った。
技術分野
この欠▲１０▼を作った事で、安全に吊る事が出来る。吊方は▲４▼ワイヤーをＵ字溝の外を回し▲１０▼欠けに掛け、内側に回しクレーンフックに掛ける。（Ｕ字溝の圧縮吊りとでも言うか）
たとえ斜めに吊らっても、▲１▼のベースの上に置くだけで▲４▼のワイヤーが中心を探し水平吊りになる。そのまま▲７▼の水糸に合わせられる。吊ったまま上下、左右を見て製品とベースの間に▲６▼のクサビを四方に差し込む。
▲４▼クレーンを下げワイヤーをはずすが▲１０▼は問題ないが▲２▼と▲３▼のＵ字溝の継目▲９▼の穴が出来るので楽にワイヤーが抜く事が出来る。
次に▲１▼ベースと▲２▼の製品の間▲８▼にモルタル押し込む。又継目の目地にモルタルを詰めて完了する。
▲イ▼安全な吊り方である。
▲ロ▼クレーン運転手に手信号合図で取付く。
▲ハ▼人力が少ない。又、道具が少なくてすむ。
▲ニ▼▲９▼の穴にモルタルを押し込む事で段差防止にもなる。
背景の分野
Ｕ字溝の取付は今も昔も変わっていない。遣り方の▲７▼水に合わせて並べて行くのですが、今も昔も▲７▼の糸のそばに置きバールとかテコを使い▲７▼の水糸に合わせて行く。小さいＵ字溝であればバール、テコで良いが、大きくなる１ｔ〜３ｔとなる。バールなどで動かす事は大変な重量になる。大きなテコを使っても、ベースの方が壊れるなどと又大きな人力が必要になる。又、時間もかかる。
考案の開示
この欠▲１０▼があるため、小さなＵ字溝でも大きい物でも同じやり方で取付けられる。２本のワイヤーを図▲４▼の様に外に回し▲１０▼の欠にひっかけ、内側に回して圧縮吊の形で吊るので安全である。
又、大幅な人件費の削減である共に製品を１度吊りベースの上に置くだけで、又吊るとワイヤーが中心を探して水平吊になる。
この▲１０▼の欠があるため小さいＵ字溝は小さいクレーン、大きな物は大きいクレーン施工で、やり方は同じである。
取付者はクレーン運転手に手声で合図を送るだけで、吊ったまま取付位置が確定する事で▲６▼のクサビを▲８▼の間に押し込む事で取付が完了する。
少ない時間、安全に道具も少ない。
考案の効果
製品をベースの上に置く。又吊ると水平吊になる。
バール、テコを必要としない。
吊ったまま水糸に合わせられる。
素人でも取付られる。（クレーン運転手に合図次第）
道具が少なくてすむ。
取付人は２人〜４人ですむ。
産業上の利用
この▲１０▼の欠を作る事で、人力で動かす事が少なくてすむ。
ワイヤーの掛け場所が決まってくるので安全である。
クレーン運転手に合図を送るだけで取付場所に設置できる。
ワイヤーが中吊の為、直接水糸に合わせられる。
Ｕ字溝でも手で持てる物もあれば、１ｔ〜２ｔもある物それなりの持つ物はいるが取付は同じである。
0003126924.tif 000003
【手続補正書】
【提出日】平成18年9月6日(2006.9.6)
【手続補正１】
【補正対象書類名】実用新案登録請求の範囲
【補正対象項目名】請求項１
【補正方法】変更
【補正の内容】
【請求項１】
Ｕ字型側溝ブロックＡの側面である左右の合端面（５）の上部にワイヤー掛け用の半円形の切欠き（１０）を設けたことを特徴としたＵ字型側溝ブロック。
【手続補正２】
【補正対象書類名】明細書
【補正対象項目名】全文
【補正方法】変更
【補正の内容】
【考案の詳細な説明】
【技術分野】
【０００１】
本考案は、左右の合端面上部附近にワイヤー掛け用の半円形の切欠きを設けたＵ字型側溝ブロックに関する。
【背景技術】
【０００２】
通常Ｕ字型側溝ブロックの敷設設置に当ってはクレーンを使って吊り下げながら作業を行っている。そしてこの吊り下げに当っては、クレーンからのロープを側溝ブロックの側面に回し掛けして吊り上げ移動しているが、側溝ブロックが大形の場合は吊り上げの平均を保つことが困難であるばかりか、加えて予め設置の目安として張り渡してある水糸に合
せるためには、バールやテコを使いながらの微調整に吊り下げられている製品が不安定なため時間と労力と経験を必要としていた。
【特許文献１】特開２０００−０２７１５４号公報
【考案の開示】
【考案が解決しようとする課題】
【０００３】
手で持ち運べる程度の小型のＵ字型側溝ブロック（以下単に側溝ブロック又はブロックと称する）であれば設置の際の微調整も苦もなく行えるが、１ｔ〜３ｔも重量のある大型の側溝ブロックともなると、クレーンを使って吊り下げながらの作業であっても、バールやテコを使って水糸に合せるように微調整することは時間と労力と経験が必要であり、加えて危険も伴って、一本の側溝ブロックを設置するためには相当の時間を要していた。
【課題を解決するための手段】
【０００４】
考案者は、この点に鑑み鋭意研究を重ねた結果、クレーンでの吊り下げを、いかに水平に安全に行えるかを考え、本考案に到達したもので、本考案は、予め側溝ブロックＡの左右の合端面（５）にロープ掛け用の切欠き（１０）を設け、この左右の切欠き（１０）にクレーンのロープ（４）を掛けて吊り下げることによって、ブロックＡは吊り下げ用フック（６）の掛け具合を調整すれば水平に吊り下げることができる。
【０００５】
この状態でクレーンを移動してブロックＡを設置場所に吊り降せば、ブロックＡはホボ水糸に沿うように設置され、水糸に合せるための微調整はバールやテコを使うとしても極めて僅かであり、ブロックが水平に保たれていることが安全に作業ができることである。
【０００６】
そしてこのロープ掛け用の切欠き（１０）は、図３に図示されているように、半円形に形成されているため設置に当って既設ブロックＢの切欠き（１０）と付き合うことによって、円形の開口部となってロープ（４）の引抜きを容易にすることができる。
【考案の効果】
【０００７】
このように本考案の側溝ブロックＡは、ブロックに吊り下げロープ掛け部を設けることによって、ブロックを水平に吊り下げられるため設置作業が容易となり、これに要する時間や労力を少くし、またロープ掛け用の切欠き（１０）を半円形とすることによって、既設ブロックＢの合端の切欠きと合致して円形となるためロープの引抜きも容易となり、しかもブロックを水平に安定して吊下げることによって、安全が保たれるという作業上の顕著な作用効果を奏する。
【考案を実施するための最良の形態】
【０００８】
本考案の側溝ブロックＡは、図１に示すようにブロックＡの左右の両側面、即ち合端面（５）の上部に半円形のロープ掛け用の切欠き（１０）を設けることによって、クレーンによる水平吊り下げが可能となるため、運搬・移送・据え付けが容易で安全性が確実となった。
【実施例】
【０００９】
添付図面により本考案の実施例を示すと、図１はＵ字型側溝ブロックＡの正面図であって、ブロックＡに対して長手方向の面を示している。図２は左右の側面、即ち合端面（５）を示している。本考案は図示するように、この合端面（５）の上部に半円形の切欠き（１０）を設けることを特徴とするものである。
【００１０】
この切欠き（１０）はクレーン（図示していない）のロープ（４）によって吊り下げる場合のロープ（４）の引掛け部になるもので、図４の施工の実施例図で理解できるようにロープ（４）は、ブロックＡの両側の合端面（５）に設けた切欠き（１０）に掛けられて吊り下げられ、水糸（７）に合せながら据え付けられている。
【００１１】
この側溝ブロックＡの敷設施工に当っては、図４に示されているように、クレーン（図示されていない）のロープ（４）を側溝ブロックＡの左右の合端面（５）の切欠き（１０）に掛け、クレーンからのフック（６）によってロープ（４）を張り、位置を調整してブロックＡを水平に吊り下げてクレーンを操作することによってブロックＡはベースコンクリート（１）上の定位置に据えられ、バールやテコの微調整によって水糸（７）の位置に設置され、既設ブロックＢと接続される。ロープ（４）は図３の実施例図のように円形となった切欠き（１０）から容易に引抜かれる。その後この円形の空隙にはモルタルが埋められて工事は終了する。
【産業上の利用可能性】
【００１２】
本考案のＵ字型側溝ブロックＡは、クレーンによるロープの吊り下げ用の切欠き部を設けることによって、大型のブロックであっても運搬・移動操作が容易で安全が図れるため、ブロックへの利用度合は極めて大きくブロック業界に利用される期待は大きい。
【図面の簡単な説明】
【００１３】
【図１】本考案のＵ字型側溝ブロックＡの正面図
【図２】ブロックＡの左右合端面の詳細図
【図３】ブロックＡと既設ブロックＢとの接合図
【図４】クレーンを使用した施工の実施例図
【符号の説明】
【００１４】
１  コンクリートベース
４  ロープ
５  合端面
７  水糸
１０  切欠き
Ａ  Ｕ字側溝ブロック
Ｂ  既設ブロック
【手続補正３】
【補正対象書類名】図面
【補正対象項目名】全図
【補正方法】変更
【補正の内容】
【図１】
0003126924.tif 000004
【図２】
0003126924.tif 000005
【図３】
0003126924.tif 000006
【図４】
0003126924.tif 000007